(57)【要約】
【課題】  構造強度があり、且つ耐水性がありアルバムが水に濡れて損壊することを防止できる耐水アルバム頁の構造を提供する。
【解決手段】  頁紙１、補強棒２、および補強板３からなり、該当頁紙１とは適当な幅を持ち、中央に折畳縁１１が形成され、折畳縁１１と対応する裏の位置に耐水性に優れた補強棒２を接合して設け、該頁紙１の表面に防水保護膜５を設置し、補強板３とは適当な硬度、厚さを持つプラスチック板であり、頁紙１の裏の端が其々両補強板３の一面と貼り合せられてアルバムの頁になり、各補強板３のもう一面はもう一枚の頁紙１と貼り合わせられて順にアルバムを組み立てていきながら、全体によりよい耐水性を持たせる耐水アルバム頁の構造である。
【選択図】    図１
0003101480.tif 000002
【実用新案登録請求の範囲】
【請求項１】
頁紙、補強棒、および補強板からなり、該頁紙とは適当な幅を持ち、中央に折畳縁が形成され、折畳縁と対応する裏の位置に耐水性に優れた補強棒を接合して設け、該頁紙の表面に防水保護膜を設置し、補強板とは適当な硬度、厚さを持つプラスチック板であり、両面にバックグルーを設けるために頁紙の裏の端は其々両補強板の一面と貼り合せられてアルバムの頁を構成し、各補強板のもう一面はもう一枚の頁紙と貼り合わせられて順にアルバムが組み立てられ、全体によりよい防水性を有していることを特徴とする耐水アルバム頁の構造。
【請求項２】
補強板の幅は少し頁紙を向い合わせに折畳んだ幅より小さく、頁紙の裏の端は其々両補強板の一面と一枚のアルバム頁になるように貼り合せられ、両補強板の間に適当な隙間を持たせ、且つ上層のアルバム頁を展開するときにその補強板は下層のアルバム頁の補強板を押さえ当てないようにし、展開しても平らになることを特徴とする請求項１に記載の耐水アルバム頁の構造。
【考案の詳細な説明】
【技術分野】
【０００１】
本考案は、一種の耐水アルバム頁に関するものである。
【背景技術】
【０００２】
図面５，６に示すのは従来の製品の構造の一つであり、主としては底層紙３’、内層紙４’からアルバム頁になるもので、その底層紙３’、内層紙４’には適当な厚さを持ち、その底層紙３’と内層紙４’とは裏は貼り合せられ、且つ中央にプレス機具で折畳縁３１’、４１’の溝を押しつけ、各アルバム頁を順にアルバムに組み立てる。
【０００３】
しかし前述した構造は底層紙３’と内層紙４’とは皆防水できないために湿気および水によって損壊し、また図面７に示すように上層のアルバム頁を展開するとき、その折畳縁３１’は下層のアルバム頁を押え当てたためにアルバム頁の外側端が上に上がって展開すると平らにならず、且つ使用者が内層紙４’に貼り付けた写真（図面の中に示されていない）を見るときに不便である欠点をもたらした。
【考案の開示】
【考案が解決しようとする課題】
【０００４】
よって本考案の目的は、構造上強度があり、且つ耐水性がありアルバムが水に濡れて損壊することを防止できる耐水アルバム頁の構造を提供することである。
【課題を解決するための手段】
【０００５】
上記課題を解決するための本考案の耐水アルバム頁の構造は、頁紙、補強棒、および補強板からなり、該頁紙は適当な幅を持ち、且つ中央に折畳縁が形成され、折畳縁と対応する裏の位置に耐水性に優れた補強棒を接合して設け、該頁紙の表面に防水保護膜を設置し、補強板は適当な硬度、厚さを持つ材質で作られたものであり、補強板はプラスチック板であるために耐水性があり、その補強板の幅は頁紙を向い合わせに折畳んだ幅より少し小さく、且つ両面にバックグルーを設けるために頁紙の裏の端は其々両補強板の一面と貼り合せて一枚のアルバム頁になり、両補強板の間に適当な隙間を持たせ、また各補強板のもう一面はもう一枚の頁紙と貼り合せて順にアルバムを組み立て、それによって全体をよりよい耐水性を持つように組み立て、該頁紙は補強板によって強度を促進でき、且つその折畳縁の位置は補強棒によって折畳縁の位置の強度が高められ、上層のアルバム頁を展開するとき、その補強板は下層のアルバム頁の補強板を押え当てないために上、下層のアルバム頁が上に上がることを防止することが可能であり、且つ展開したとき平らに持つことが可能である。
【考案を実施するための最良の形態】
【０００６】
図面１〜３を参考する。本考案の一実施例による耐水アルバム頁の構造は頁紙１、補強棒２、および補強板３からなり、その頁紙１は適当な幅を持ち、且つ中央において折畳縁１１が形成され、折畳縁１１と対応する裏の位置に耐水性に優れた補強棒２を貼り合せて設け、その頁紙１の表面に防水保護膜５を設置する。
【０００７】
補強板３は適当な硬度、厚さを持つ材質で作られ、補強板３は耐水性を持たせるにはプラスチック板でもよく、その補強板３の幅ａは頁紙１を向い合わせに折畳んだ幅ｂより少し小さく、且つ両面にバックグルー３１を設けるために頁紙１の裏の端は其々両補強板３の一面と貼り合せて一枚のアルバム頁になり、両補強板３の間に適当な隙間４を持たせ、各補強板３のもう一面はもう一枚の頁紙１を貼り合せてから順にアルバム（図面４に示すように）を組み立てていく。
【０００８】
本実施例を組み立てた後、頁紙１に防水保護膜５を設け、且つ補強棒２、補強板３は防水できるため組み合わせた全体はより耐水性に優れ、且つその頁紙１は補強板３によってその強度が促進でき、その折畳縁１１の位置は補強棒２によって更に折畳縁１１の位置の強度が高められる。
【０００９】
また図４に示すように、本実施例では上層のアルバム頁が展開されるとその補強板３は下層のアルバム頁の補強板３を押え当てないために上、下層のアルバム頁が上に上がることを防止でき、展開したときに平らになり使用者が頁紙１を見やすくなる。
【００１０】
この他に、本考案では補強板を頁紙の折畳幅（図面に示されていない）と対応して設置しても本考案に求められた耐水効果を持つために、前述の構造も本考案の設計の範疇内に属されるべきである。
【００１１】
よって、以上に述べられたように、本考案の構造は従来の製品より次のような特徴を持つ。
本考案によって耐水性が促進でき、従来の製品の水に濡れると損壊することを改善できるために大幅にアルバムの使用寿命が向上する。
本考案の頁紙および補強板は面と面との固い接合であるためにより全体的固着性のある組立が得られる。
本考案の頁紙にある折畳縁の位置に補強棒を接合するために折畳縁の位置の強度が促進される。
本考案の両補強板の間に隙間を設計することによって上層のアルバム頁を展開するときに平らになり展開したときに平らになる効果が得られる。
【図面の簡単な説明】
【００１２】
【図１】本考案の一実施例による耐水アルバム頁の構造を示す分解斜視図である。
【図２】本考案の一実施例による耐水アルバム頁の構造を示す分解側面図である。
【図３】本考案の一実施例による耐水アルバム頁の構造の折り合せた状態を示す分解斜視図である。
【図４】本考案の一実施例による耐水アルバム頁の構造の上層のアルバム頁を展開した状態を示す分解斜視図である。
【図５】従来のアルバム頁を示す分解斜視図である。
【図６】従来のアルバム頁を示す側面図である。
【図７】従来のアルバム頁の上層のアルバム頁を展開した状態を示す分解斜視図である。
【符号の説明】
【００１３】
１  頁紙、１１  折畳縁、２  補強棒、３  補強板、３１  バックグルー、４  隙間、５  保護膜
【図１】
0003101480.tif 000003
【図２】
0003101480.tif 000004
【図３】
0003101480.tif 000005
【図４】
0003101480.tif 000006
【図５】
0003101480.tif 000007
【図６】
0003101480.tif 000008
【図７】
0003101480.tif 000009